(57)【特許請求の範囲】
【請求項１】
入力される音声信号を濾波してスピーカーユニットに出力するフィルタ回路を含むネットワーク回路であって、
該フィルタ回路を構成する回路素子と、該回路素子を所定位置に配置する回路素子配置部材と、該回路素子配置部材上に配置された該回路素子を電気的に接続する配線部材と、を備え、
該回路素子が、略円筒形状に線材を巻回されて構成されるコイル、および／または、略円筒形状に金属箔および誘電体を巻回されて構成されるコンデンサを含み、
該回路素子配置部材が、該回路素子のリード線が引き出されると共に該配線部材が配置される配線平面部と、該配線平面部の内側に設けられてそれぞれの該回路素子の形状に応じた凹部として規定される回路素子固定部と、を含み、
該回路素子固定部のそれぞれの該配線平面部からの該凹部の深さが、該回路素子の形状を規定する高さ寸法の約半分の値であって、該略円筒形状の該回路素子の形状を規定する高さ寸法の中心線、または、該略円筒形状を規定する中心軸のうちの少なくとも一方を、該配線平面部を規定する基準平面が含むように設定される、
ネットワーク回路。
【請求項２】
前記フィルタ回路を構成する前記回路素子が、複数の前記コイルおよび／または前記コンデンサを含み、
少なくとも２つの該回路素子の前記略円筒形状を規定する前記中心軸が、互いに直交するように配置されている、
請求項１に記載のネットワーク回路。
【請求項３】
前記回路素子配置部材が、所定の厚みを有する木質材料または樹脂材料の板材であり、前記回路素子固定部のそれぞれの凹部の板厚が、前記配線平面部の板厚よりも薄くなるように形成されている、
請求項１または２に記載のネットワーク回路。
【請求項４】
前記配線部材が、前記回路素子配置部材の前記配線平面部に対応した形状を有するプリント基板を含み、該プリント基板が該配線平面部に取り付けられる、
請求項１から３のいずれかに記載のネットワーク回路。
【請求項５】
請求項１から４のいずれかに記載のネットワーク回路と、該ネットワーク回路から帯域分割されて出力される複数の出力信号が入力される複数のスピーカーユニットと、を含むスピーカーシステム。
【発明の詳細な説明】
【技術分野】
【０００１】
本発明は、ネットワーク回路およびこれを含むスピーカーシステムに関する。
【背景技術】
【０００２】
スピーカーシステムは、スピーカーキャビネットに取り付けられたスピーカーユニットに音声信号を印加することにより音を再生する。特に、マルチウェイ構成のスピーカーシステムでは、入力された音声信号を複数のスピーカーユニットに帯域分割して出力するネットワーク回路が必要になる。
【０００３】
例えば、低音域用のウーファーと高音域用のツィーターからなる２ウェイのスピーカーシステムの場合には、ネットワーク回路は、低域通過フィルタ（ＬＰＦ）および高域通過フィルタ（ＨＰＦ）を構成するコイルまたはコンデンサ等の回路素子を含む。３ウェイのスピーカーシステムの場合には、ネットワーク回路は、さらに中音域用の帯域通過フィルタ（ＢＰＦ）を含む。ネットワーク回路は、主に回路素子を相互に電気的に接続するプリント基板上に、複数の回路素子を配置して構成される（例えば、特許文献１の第３図、特許文献２の第１図。）。
【０００４】
スピーカーシステムを構成するネットワーク回路には、増幅器から大きな電力が供給されるので、抵抗、コイルまたはコンデンサ等の回路素子には、高い耐電流特性、または、耐電圧特性が求められ、その結果、回路素子が大きくなる場合がある。特に、ネットワーク回路のコイルが大きくなると、コイルから発生する交流磁界が強くなる、または誘導の感度が高くなるので、ネットワーク回路を構成する配線部材、あるいは、回路基板、または、他の回路素子との間で不要な相互誘導等が発生して、雑音・ノイズが音声信号に混入するなどの問題が発生しやすくなる場合がある。
【０００５】
従来には、ネットワーク回路に用いるコイルを、磁路を形成する鉄芯またはフェライトコアなどを備えるものにする、あるいは、複数のコイル同士の距離を離す、または、複数のコイルの中心軸が直交する関係に配置する、などの鎖交する磁束を減少させる対策を導入したネットワーク回路がある。また、非磁性体で導電性の高い材料と透磁率が大きく磁気的直線性のよい材料とを電気的絶縁性の高い材料を間に積層し、導電性の大きい材料を外側面にしてネットワーク回路を囲ったものがある（特許文献１）。
【０００６】
また、従来には、開磁路磁心を有するインダクタを複数個備えてなるネットワーク回路において、インダクタ相互間を磁気遮蔽すると共に開磁路磁心の取り付け基板上における配置方向を互いに並行にするものがある（特許文献２）。また、ネットワーク回路を構成する少なくとも２個のコイルから誘起した漏洩磁束の位相が、逆相になるようにコイルを並行配置するものがある（特許文献３）。
【０００７】
【特許文献１】特開平２−３１２３９２号公報
【特許文献２】実開昭５４−７０５２６号公報
【特許文献３】実開平１−８２５９３号公報
【０００８】
スピーカーシステムのネットワーク回路に用いるコイルは、磁芯材料の磁気的非直線性の影響を受けない空芯コイルが最も好ましい。しかしながら、空芯コイルは、結果的にコイルを構成する巻線の巻回数が多くなり、形状寸法が大きい回路素子になってしまうことがある。その場合には、従来からの複数のコイル同士の距離を離す、または、複数のコイルの中心軸が直交する関係に配置する、などの鎖交する磁束を減少させる従来の対策では、不十分な場合がある。特に、一枚板状のプリント基板上に、コイルおよびコンデンサを含む形状寸法が大きい回路素子を配置する場合には、同様の問題が顕在化する。
【発明の概要】
【発明が解決しようとする課題】
【０００９】
本発明は、上記の従来技術が有する問題を解決するためになされたものであり、その目的は、ネットワーク回路およびこれを含むスピーカーシステムに関し、ネットワーク回路における不要な相互誘導等の発生を抑制し、雑音・ノイズが音声信号に混入しにくく、再生音質に優れるネットワーク回路およびこれを含むスピーカーシステムを提供することにある。
【課題を解決するための手段】
【００１０】
本発明のネットワーク回路は、入力される音声信号を濾波してスピーカーユニットに出力するフィルタ回路を含むネットワーク回路であって、フィルタ回路を構成する回路素子と、回路素子を所定位置に配置する回路素子配置部材と、回路素子配置部材上に配置された回路素子を電気的に接続する配線部材と、を備え、回路素子が、略円筒形状に線材を巻回されて構成されるコイル、および／または、略円筒形状に金属箔および誘電体を巻回されて構成されるコンデンサを含み、回路素子配置部材が、回路素子のリード線が引き出されると共に配線部材が配置される配線平面部と、配線平面部の内側に設けられてそれぞれの回路素子の形状に応じた凹部として規定される回路素子固定部と、を含み、回路素子固定部のそれぞれの配線平面部からの凹部の深さが、回路素子の形状を規定する高さ寸法の約半分の値であって、略円筒形状の該回路素子の形状を規定する高さ寸法の中心線、または、略円筒形状を規定する中心軸のうちの少なくとも一方を、配線平面部を規定する基準平面が含むように設定される。
【００１２】
また、本発明のネットワーク回路は、フィルタ回路を構成する回路素子が、複数のコイルおよび／またはコンデンサを含み、少なくとも２つの回路素子の略円筒形状を規定する中心軸が、互いに直交するように配置されている。
【００１３】
また、好ましくは、本発明のネットワーク回路は、回路素子配置部材が、所定の厚みを有する木質材料または樹脂材料の板材であり、回路素子固定部のそれぞれの凹部の板厚が、配線平面部の板厚よりも薄くなるように形成されている。
【００１４】
また、好ましくは、本発明のネットワーク回路は、配線部材が、回路素子配置部材の配線平面部に対応した形状を有するプリント基板を含み、プリント基板が配線平面部に取り付けられる。
【００１５】
また、本発明のスピーカーシステムは、上記のネットワーク回路と、ネットワーク回路から帯域分割されて出力される複数の出力信号が入力される複数のスピーカーユニットと、を含む。
【００１６】
以下、本発明の作用について説明する。
【００１７】
本発明のネットワーク回路は、入力される音声信号を濾波してスピーカーユニットに出力するフィルタ回路を含み、フィルタ回路を構成する回路素子と、回路素子を所定位置に配置する回路素子配置部材と、回路素子配置部材上に配置された回路素子を電気的に接続する配線部材と、を備える。回路素子配置部材は、回路素子のリード線が引き出されると共に配線部材が配置される配線平面部と、配線平面部の内側に設けられてそれぞれの回路素子の形状に応じた凹部として規定される回路素子固定部と、を含む。
【００１８】
ここで、回路素子配置部材の回路素子固定部は、それぞれの配線平面部からの凹部の深さが、回路素子の形状を規定する高さ寸法の約半分の値に設定される。したがって、それぞれの回路素子は、ちょうどその下側半分が凹部に入り込んで、上側半分が配線平面部より上に露出することになり、回路素子のリード線が引き出されると共に配線部材が配置される配線平面部を規定する基準平面が、回路素子の中心軸または中心線を含むようになる。
【００１９】
その結果、それぞれの回路素子から発生する交流磁界により、ネットワーク回路を構成する配線部材、あるいは、回路基板、または、他の回路素子との間で発生する不要な相互誘導を、最小限に抑制することができる。特に、形状寸法が大きい回路素子を用いる場合には、回路素子の中心軸または中心線が配線平面部と一致するので、回路素子のリード線並びに配線部材を介して雑音・ノイズが音声信号に混入しにくくなる利点がある。したがって、このネットワーク回路と、ネットワーク回路から帯域分割されて出力される複数の出力信号が入力される複数のスピーカーユニットと、を含むスピーカーシステムの再生音質に好ましい影響を与えることができる。
【００２０】
また、回路素子が、略円筒形状に線材を巻回されて構成されるコイル、および／または、略円筒形状に金属箔および誘電体を巻回されて構成されるコンデンサを含む場合には、回路素子配置部材の回路素子固定部は、その略円筒形状の回路素子に対応する配線平面部からの凹部の深さを、回路素子の形状を規定する高さ寸法の中心線または略円筒形状を規定する中心軸のうちの少なくとも一方を、配線平面部を規定する基準平面が含むように設定するのが好ましい。複数のコイルおよび／またはコンデンサを含む場合には、少なくとも２つのコイルおよび／ま前記コンデンサの略円筒形状を規定する中心軸が、互いに直交するように配置されているのがさらに好ましい。コイルを構成する巻線の巻回数が多くなる空芯コイルを採用する場合であっても、雑音・ノイズを音声信号に混入しにくくすることができる。
【００２１】
また、回路素子配置部材は、所定の厚みを有する木質材料または樹脂材料の板材で形成されるのが好ましい。回路素子固定部のそれぞれの凹部の板厚を、配線平面部の板厚よりも薄くなるように形成すればよい。また、配線部材は、回路素子配置部材の配線平面部に対応した形状を有するプリント基板を含んでいてもよい。安価なプリント基板を配線部材として配線平面部に取り付けることができれば、再生音質の改善および製造コストの低減を両立させることができる。
【発明の効果】
【００２２】
本発明のネットワーク回路およびこれを含むスピーカーシステムは、ネットワーク回路における不要な相互誘導等の発生を抑制し、雑音・ノイズが音声信号に混入しにくいネットワーク回路およびこれを含むスピーカーシステムを提供することができ、好ましい音声・音場再生が可能になる。
【図面の簡単な説明】
【００２３】
【図１】本発明の好ましい実施形態によるスピーカーシステムについて説明する図である。（実施例１）
【図２】本発明の好ましい実施形態によるネットワーク回路について説明する図である。
【図３】本発明の好ましい実施形態によるネットワーク回路の回路素子配置部材について説明する図である。（実施例１）
【図４】本発明のネットワーク回路を構成する回路素子の形状について説明する図である。（実施例１）
【図５】比較例のネットワーク回路について説明する図である。（比較例１）
【図６】本発明の好ましい実施形態によるネットワーク回路の誘導電圧特性について説明するグラフである。（実施例１、比較例１）
【発明を実施するための形態】
【００２４】
以下、本発明の好ましい実施形態によるネットワーク回路およびこれを含むスピーカーシステムについて説明するが、本発明はこれらの実施形態には限定されない。
【実施例１】
【００２５】
図１は、本発明の好ましい実施形態によるスピーカーシステム１について説明する図である。具体的には、図１は、ネットワーク回路１０を含むスピーカーシステム１の内部構造を模式的に示した断面図である。したがって、説明に不要な一部の構成は、省略している。
【００２６】
スピーカーシステム１は、直方体状のスピーカーキャビネット２に、高音域再生用のツィーター４と、中低音域再生用のウーファー５という２つのスピーカーユニットを取り付けて構成された２ウェイスピーカーシステムである。正端子（＋）および負端子（−）を含むターミナル３に入力された音声信号は、スピーカーキャビネット２の内部に配置されるネットワーク回路１０に供給される。ネットワーク回路１０は、入力される音声信号を２つの出力信号に帯域分割して、それぞれツィーター４とウーファー５とに出力する。
【００２７】
ターミナル３と、ネットワーク回路１０と、ツィーター４と、ウーファー５とは、それぞれ配線部材（配線ケーブル、配線コード）で接続される。ターミナル３は、バイワイヤリング接続に対応して、所定の接続コードあるいは接続バーで相互に接続可能な２組の端子に分離していてもよい。ネットワーク回路１０に用いる配線部材は、１極に対応する単線でも、正負の２極に対応する平行線でもよく、同軸ケーブルであってもよい。なお、配線部材の図示は、以下では電気的な接続を説明することを優先して単線で記載する。
【００２８】
図２は、本発明のネットワーク回路１０について説明する図である。また、図３は、ネットワーク回路１０を構成する回路素子配置部材１１について説明する図である。さらに、図４は、ネットワーク回路１０を構成する回路素子２０の形状について説明する図である。
【００２９】
本実施例のネットワーク回路１０は、２ウェイのスピーカーシステム１に対応して、端子Ｉｎｐｕｔに入力された音声信号を、ツィーター４に対応する出力端子ＴＷと、ウーファー５に対応する出力端子ＷＯと、に帯域分割してそれぞれ出力する低域通過フィルタ（ＬＰＦ）および高域通過フィルタ（ＨＰＦ）を構成する回路素子２０（２１〜２４）を含む。具体的には、低域通過フィルタ（ＬＰＦ）は、コイル２１およびコンデンサ２２により構成されて、阻止帯域において−１２ｄＢ／Ｏｃｔ．の特性を有する。また、高域通過フィルタ（ＨＰＦ）は、コンデンサ２３およびコイル２４により構成されて、阻止帯域において＋１２ｄＢ／Ｏｃｔ．の特性を有する。それぞれの回路素子２０は、配線部材３０により接続される。また、これらの回路素子２０は、回路素子配置部材１１により所定位置に配置される。
【００３０】
本実施例の回路素子配置部材１１は、所定の厚みを有する木質材料の板材（具体的には桐材）により形成する部材である。直方体状の回路素子配置部材１１は、その上面側に配線平面部１２が設けられている。配線平面部１２には、配線部材３０が配置され、それぞれの回路素子２０のリード線が引き出されて配線部材３０に接続される。配線平面部１２は、仮想的な基準平面の上に規定される平面である。
【００３１】
また、回路素子配置部材１１は、配線平面部１２の中央部分にそれぞれの回路素子２０を所定の位置に配置する回路素子固定部１３が設けられている。回路素子固定部１３は、それぞれの回路素子２１〜２４の形状に応じた凹部１３ａ〜１３ｄとして形成されている。回路素子配置部材１１は木質材料の板材なので、配線平面部１２を所定の位置・面積・深さで彫り込むことで、凹部１３ａ〜１３ｄを形成することができる。それぞれの凹部１３ａ〜１３ｄの配線平面部１２からの深さｄ１〜ｄ４は、それぞれの回路素子２１〜２４の形状を規定する高さ寸法の約半分の値に設定される。したがって、回路素子固定部１３のそれぞれの凹部１３ａ〜１３ｄの板厚は、配線平面部１２の板厚よりも薄くなる。
【００３２】
コイル２１およびコイル２４は、略円筒形状に線材を巻回されて構成されるインダクタ素子であり、高い耐電流特性および耐電圧特性が求められる磁芯を有さない空芯コイルであるので、比較的に大きな形状寸法を有する回路素子である。したがって、コイル２１およびコイル２４は、お互いに最も離れて発生する交流磁束の影響が少なくなるように、回路素子配置部材１１の両端に、かつ、それらの中心軸ｒ０が互いに直交するように、配置されている。
【００３３】
コイル２１は、図２および図４（ａ）に図示するように、略円筒形状を規定する中心軸ｒ０が配線平面部１２を規定する基準平面に対して直交する向きに配置されている。したがって、コイル２１の形状を規定する高さ寸法をＨ（高さ寸法Ｈの中心線：ｖ０）とすると、対応する回路素子固定部１３の凹部１３ａの配線平面部１２からの深さｄ１は、コイル２１の高さ寸法の約半分の値（Ｈ／２）にほぼ一致するように、設定される。
【００３４】
一方、コイル２４は、図２および図４（ｂ）に図示するように、略円筒形状を規定する中心軸ｒ０が配線平面部１２を規定する基準平面に含まれる向きに配置されている。したがって、コイル２４の形状を規定する高さ寸法をＨとすると、対応する回路素子固定部１３の凹部１３ｄの配線平面部１２からの深さｄ４は、コイル２１の高さ寸法の約半分の値（Ｈ／２）にほぼ一致するように、設定される。
【００３５】
コンデンサ２２およびコンデンサ２３は、略円筒形状に金属箔および誘電体を巻回されて構成される容量素子であり、高い耐電流特性および耐電圧特性が求められるフィルムコンデンサであるので、比較的に大きな形状寸法を有する回路素子である。ただし、コンデンサ２２およびコンデンサ２３は、コイル２１およびコイル２４に比べて交流磁束の発生が少ないので、コイル２１とコイル２４との間に配置されている。
【００３６】
コンデンサ２２およびコンデンサ２３は、図２および図４（ｂ）に図示するように、略円筒形状を規定する中心軸ｒ０が配線平面部１２を規定する基準平面に含まれる向きに配置されている。したがって、コンデンサ２２またはコンデンサ２３の形状を規定する高さ寸法をＨとすると、対応する回路素子固定部１３のそれぞれの凹部１３ｂまたは１３ｃの配線平面部１２からの深さｄ２またはｄ３はコンデンサ２２またはコンデンサ２３の高さ寸法Ｈの約半分の値（Ｈ／２）にほぼ一致するように、それぞれ設定される。
【００３７】
なお、回路素子２０の形状を規定する高さ寸法Ｈは、図４（ａ）および図４（ｂ）に図示するように、回路素子配置部材１１の配線平面部１２に回路素子２０を取り付ける向きに応じて、配線平面部１２に直交する方向の寸法として定めればよい。また、図４（ｃ）に図示するように、フィルタ回路を構成する回路素子２０が、形状を規定する高さ寸法Ｈの他に、幅寸法Ｗおよび奥行き寸法Ｄを有する直方体状の素子である場合であっても、同様に回路素子配置部材１１の配線平面部１２に回路素子２０を取り付ける向きに応じて、高さ寸法Ｈを定めればよい。
【００３８】
それぞれの回路素子２１〜２４は、ちょうどその下側半分が回路素子配置部材１１の回路素子固定部１３のそれぞれの凹部に入り込んで、上側半分が配線平面部１２より上に露出する。配線平面部１２には、回路素子２１〜２４のリード線が引き出されると共に配線部材３０が配置される。したがって、配線平面部１２を規定する基準平面が、これらの回路素子２１〜２４の中心軸ｒ０または中心線ｖ０を含むようになる。それぞれの回路素子２１〜２４が、中心軸ｒ０または中心線ｖ０の付近からリード線を引き出すような回路素子であれば、配線平面部１２に配置される配線部材３０に接続する距離を最短にできる利点がある。
【００３９】
図５は、比較例のネットワーク回路１００について説明する図である。比較例のネットワーク回路１００は、本実施例のネットワーク回路１０と回路素子配置部材１１０の形状が異なる他は、フィルタ回路等の構成が共通する。回路素子配置部材１１０は、従来からの単純な直方体状の板材であって、回路素子２１〜２４が単に載置されるように配置され、回路素子配置部材１１の回路素子固定部１３における凹部１３ａ〜１３ｄを備えない。したがって、それぞれの回路素子２１〜２４の形状を規定する高さ寸法Ｈが異なるので、回路素子２１〜２４は、それらの高さ寸法の中心線ｖ０または略円筒形状を規定する中心軸ｒ０が一致しないでバラバラになる。
【００４０】
図６は、本実施例のネットワーク回路１０と、比較例のネットワーク回路１００とについて、好ましくない誘導電圧の発生の具合を測定して比較した周波数特性のグラフである。誘導電圧は、ネットワーク回路の一方のフィルタ回路の入力信号として入力し、通過帯域が異なる他のフィルタ回路に入力信号として与えないにもかかわらず、不要な相互誘導等を原因として出力が出現する好ましくない雑音・ノイズである。したがって、誘導電圧の周波数特性のグラフは、全ての周波数領域において、低いレベル値を示すことが好ましい。
【００４１】
誘導電圧の測定では、全ての周波数領域で同じレベルの成分を有するスイープ信号を入力信号として用い、端子Ｉｎｐｕｔは、低域通過フィルタ（ＬＰＦ）と高域通過フィルタ（ＨＰＦ）とを分離する。負荷として変動するスピーカーであるツィーター４またはウーファー５に代えて、同程度の電気インピーダンスを有する固定抵抗出力端子ＴＷ並びに出力端子ＷＯに接続して、測定する。誘導電圧は、主にコイル等のインダクタンス成分が発生する交流磁束が原因であるので、高い周波数で高いレベルになりやすいという基本特性がある。
【００４２】
具体的には、図６（ａ）に示す場合は、誘導電圧は、一方の低域通過フィルタ（ＬＰＦ）に入力し、かつ、他方の高域通過フィルタ（ＨＰＦ）に入力せずに入力正負端子間を短絡した場合に、高域通過フィルタ（ＨＰＦ）の出力端子ＴＷに出現する電圧である。本実施例のネットワーク回路１０の場合は、比較例のネットワーク回路１００の場合と比較して、誘導電圧を遙かに低く抑制できている。
【００４３】
また、図６（ｂ）に示す場合は、誘導電圧は、一方の高域通過フィルタ（ＨＰＦ）に入力し、かつ、他方の低域通過フィルタ（ＬＰＦ）に入力せずに入力正負端子間を短絡した場合に、低域通過フィルタ（ＬＰＦ）の出力端子ＷＯに出現する電圧である。図６（ａ）に示す場合と同様に、本実施例のネットワーク回路１０の場合は、比較例のネットワーク回路１００の場合と比較して、誘導電圧を遙かに低く抑制できている。
【００４４】
本実施例のネットワーク回路１０では、それぞれの回路素子２１〜２４から発生する交流磁界により、ネットワーク回路１０を構成する配線部材３０、または、他の回路素子２０との間で発生する不要な相互誘導を、最小限に抑制することができる。回路素子固定部１３に凹部１３ａ〜１３ｄを形成した回路素子配置部材１１を備えるので、回路素子２０から発生して鎖交する磁束が最少となり、また、配線平面部１２を含む基準平面を軸に対称に変動するからである。
【００４５】
特に、本実施例のように形状寸法が大きい回路素子２０を用いる場合には、回路素子２０の中心軸ｒ０または中心線ｖ０が配線平面部１２に含まれるように一致させる効果が大きくなる。回路素子２０のリード線並びに配線部材３０を介して雑音・ノイズが音声信号に混入しにくくなる利点がある。したがって、本実施例のネットワーク回路１０を含むスピーカーシステム１は、雑音・ノイズが音声信号に混入しにくくなり、好ましい音声・音場再生が可能になる。
【００４６】
一方で、構成が異なる回路素子配置部材１１０を備える比較例のネットワーク回路１００では、配線平面部１２を規定する基準平面が、回路素子２１〜２４の中心軸ｒ０または中心線ｖ０を含まないので、回路素子２０から発生して鎖交する磁束が多くなる。したがって、比較例のネットワーク回路１００を含むスピーカーシステムは、本実施例の場合に比べて雑音・ノイズが音声信号に混入しにくくなり、音声再生に悪影響がある。
【００４７】
なお、回路素子配置部材１１を十分な厚みを持って厚み方向のロスが大きい桐材の板材にすることで、回路素子２０または配線部材３０に対するスピーカーキャビネット２からの振動の影響を軽減することができる利点がある。回路素子配置部材１１は、所定の厚みを有する木質材料（ＭＤＦでもよい）であればよいが、そうでない場合には、回路素子固定部１３に凹部を設けることが容易な樹脂材料などで形成してもよい。回路素子固定部１３に凹部を設ければ、回路素子２０を強固に固定することができ、振動の影響を低減することができる。
【００４８】
回路素子配置部材１１は、楽器用木質材料の板材から構成されるのが好ましく、桐材に限定されない。代表的には、他の楽器用木質材料のスプルース、マホガニー、ローズウッド、シトカスプルース、イングルマンスプルース、シダー、エゾマツ、ローズウッド、インディアンローズウッド、ブラジリアンローズウッド、ホンジュラスローズウッド、マダガスカルローズウッド、ココボロ、ニューハカランダ、マホガニー、サペリ、ホンジュラスマホガニー、コア、メイプル、ウォルナット、バスウッド、アッシュ、エボニー、セン、アルダー、ブビンガもしくはオバンコールのいずれかであればよい。
【００４９】
また、ネットワーク回路１０の配線部材３０は、回路素子配置部材１１の配線平面部１２に対応した形状を有する（図示しない）プリント基板を含んでいてもよい。つまり、配線平面部１２の内部に凹部として設けられる回路素子固定部１３に対応した孔が設けられたプリント基板を、配線平面部１２に取り付けてもよい。配線部材３０にプリント基板を用いることができれば、回路素子２０を相互に接続する製造作業が容易になり、コスト低減できる利点がある。
【００５０】
ネットワーク回路１０の回路素子は、抵抗素子を含んでいてもよい。また、抵抗素子は、マルチウェイ構成のスピーカーシステムのそれぞれのスピーカーユニットに出力する音声信号の信号レベルを下げて調整するレベル変更が可能な可変抵抗素子を含むものであってもよい。
【００５１】
上記実施例の場合には、ネットワーク回路１０は、２ウェイのスピーカーシステム１に対応するフィルタ回路を含むものであるが、さらに中音域用の帯域通過フィルタ（ＢＰＦ）を含んで、３ウェイ以上のマルチウェイスピーカーシステムに対応するものであってもよい。また、スピーカーシステム１は、全帯域を一つのスピーカーユニットで再生するフルレンジスピーカーを備えるものであってもよい。ネットワーク回路１０は、入力される音声信号を複数の出力信号に帯域分割して再びこれを合成して一つのスピーカーユニットに出力するノッチ回路のようなフィルタ回路であってもよい。
【００５２】
また、上記実施例のスピーカーシステム１では、ネットワーク回路１０は、一つの回路素子配置部材１１上に、低域通過フィルタ（ＬＰＦ）と高域通過フィルタ（ＨＰＦ）とを構成する回路素子を配置しているが、低域通過フィルタ（ＬＰＦ）と高域通過フィルタ（ＨＰＦ）とを、別の回路素子配置部材１１上に構成してもよい。その場合には、ネットワーク回路１０は２つに分離できるので、図１に図示するような直方体状のスピーカーキャビネット２の内部に配置する場合には、例えば、一方を天板の裏部に、また、他方を底板の裏部に、取り付けるようにして遠く離すように分離してもよい。
【産業上の利用可能性】
【００５３】
本発明のネットワーク回路およびこれを含むスピーカーシステムは、家庭用のステレオ再生、もしくはマルチチャンネルサラウンド再生に限られず、車載用のオーディオ機器や、映画館等の音響再生設備にも適用が可能である。
【符号の説明】
【００５４】
１            スピーカーシステム
１０          ネットワーク回路
１１          回路素子配置部材
１２          配線平面部（基準平面）
１３          回路素子固定部
２０          回路素子
２１、２４    コイル
２２、２３    コンデンサ
３０          配線部材
【図１】
0006436106.tif 000002
【図２】
0006436106.tif 000003
【図３】
0006436106.tif 000004
【図４】
0006436106.tif 000005
【図５】
0006436106.tif 000006
【図６】
0006436106.tif 000007